【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
無線メッシュネットワークにおけるリソースをスケジューリングする方法において、
指向性アンテナを経由して、複数の隣接ノードの第１の隣接ノードに、第１の送信要求メッセージを送信するステップであって、前記第１の送信要求メッセージは、送信スロット割り当てビットマップを含む、ステップと、
前記指向性アンテナを経由して、前記複数の隣接ノードの前記第１の隣接ノードから、第１の応答メッセージを受信するステップであって、前記第１の応答メッセージは、第１の受信スロット割り当てビットマップおよび第１のリソース割り当て決定を含む、ステップと、
前記受信された第１の応答メッセージに基づいて、前記送信スロット割り当てビットマップを更新するステップと、
前記指向性アンテナを経由して、前記複数の隣接ノードの第２の隣接ノードに、第２の送信要求メッセージを送信するステップであって、前記第２の送信要求メッセージは、前記更新された送信スロット割り当てビットマップを含む、ステップと、
前記指向性アンテナを経由して、前記複数の隣接ノードの前記第２の隣接ノードから、第２の応答メッセージを受信するステップであって、前記第２の応答メッセージは、第２の受信スロット割り当てビットマップおよび第２のリソース割り当て決定を含む、ステップと、
前記受信された第２の応答メッセージに基づいて、前記送信スロット割り当てビットマップを更新するステップと、
前記指向性アンテナを経由して、特定の方向にデータパケットを送信するステップであって、前記指向性アンテナに関連付けられた送信ビームは、前記更新された送信スロット割り当てビットマップに基づいて配列されている、ステップと
を備えることを特徴とする方法。
【請求項２】
前記第１の送信要求メッセージは、ビーコン送信に続くタイムスロットにおいて送信されることを特徴とする請求項１に記載の方法。
【請求項３】
前記第２の送信要求メッセージは、ビーコン送信に続くタイムスロットにおいて送信されることを特徴とする請求項１に記載の方法。
【請求項４】
前記第１の送信要求メッセージおよび前記第２の送信要求メッセージはそれぞれ、バッファステータスを含むことを特徴とする請求項１に記載の方法。
【請求項５】
前記第１の送信要求メッセージおよび前記第２の送信要求メッセージはそれぞれ、許可要求およびチャネル品質インジケータ（ＣＱＩ）を含むことを特徴とする請求項１に記載の方法。
【請求項６】
前記指向性アンテナを経由して、前記複数の隣接ノードの第３の隣接ノードに、第３の送信要求メッセージを送信するステップであって、前記第３の送信要求メッセージは、前記更新された送信スロット割り当てビットマップを含む、ステップと、
前記指向性アンテナを経由して、前記複数の隣接ノードの前記第３の隣接ノードから、第３の応答メッセージを受信するステップであって、前記第３の応答メッセージは、第３の受信スロット割り当てビットマップおよび第３のリソース割り当て決定を含む、ステップと、
前記受信された第３の応答メッセージに基づいて、前記送信スロット割り当てビットマップを更新するステップと
をさらに備えることを特徴とする請求項１に記載の方法。
【請求項７】
無線メッシュネットワークにおけるリソースをスケジューリングするように構成された装置において、
指向性アンテナと、
前記指向性アンテナに結合され、複数の隣接ノードの第１の隣接ノードに、第１の送信要求メッセージを送信するように構成された送信機であって、前記第１の送信要求メッセージは、送信スロット割り当てビットマップを含む、送信機と、
前記指向性アンテナに結合され、前記複数の隣接ノードの前記第１の隣接ノードから、第１の応答メッセージを受信するように構成された受信機であって、前記第１の応答メッセージは、第１の受信スロット割り当てビットマップおよび第１のリソース割り当て決定を含む、受信機と、
前記受信された第１の応答メッセージに基づいて、前記送信スロット割り当てビットマップを更新するように構成されたプロセッサと
を備え、
前記送信機は、前記複数の隣接ノードの第２の隣接ノードに、第２の送信要求メッセージを送信するようにさらに構成され、前記第２の送信要求メッセージは、前記更新された送信スロット割り当てビットマップを含み、
前記受信機は、前記複数の隣接ノードの前記第２の隣接ノードから、第２の応答メッセージを受信するようにさらに構成され、前記第２の応答メッセージは、第２の受信スロット割り当てビットマップおよび第２のリソース割り当て決定を含み、
前記プロセッサは、前記受信された第２の応答メッセージに基づいて、前記送信スロット割り当てビットマップを更新するようにさらに構成され、ならびに、
前記送信機は、前記指向性アンテナを経由して、特定の方向にデータパケットを送信するようにさらに構成され、前記指向性アンテナに関連付けられた送信ビームは、前記更新された送信スロット割り当てビットマップに基づいて配列されている
ことを特徴とする装置。
【請求項８】
前記第１の送信要求メッセージは、ビーコン送信に続くタイムスロットにおいて送信されることを特徴とする請求項７に記載の装置。
【請求項９】
前記第２の送信要求メッセージは、ビーコン送信に続くタイムスロットにおいて送信されることを特徴とする請求項７に記載の装置。
【請求項１０】
前記第１の送信要求メッセージおよび前記第２の送信要求メッセージはそれぞれ、バッファステータスを含むことを特徴とする請求項７に記載の装置。
【請求項１１】
前記第１の送信要求メッセージおよび前記第２の送信要求メッセージはそれぞれ、許可要求およびチャネル品質インジケータ（ＣＱＩ）を含むことを特徴とする請求項７に記載の装置。
【請求項１２】
前記送信機は、前記複数の隣接ノードの第３の隣接ノードに、第３の送信要求メッセージを送信するようにさらに構成され、前記第３の送信要求メッセージは、前記更新された送信スロット割り当てビットマップを含み、
前記受信機は、前記複数の隣接ノードの前記第３の隣接ノードから、第３の応答メッセージを受信するようにさらに構成され、前記第３の応答メッセージは、第３の受信スロット割り当てビットマップおよび第３のリソース割り当て決定を含み、ならびに、
前記プロセッサは、前記受信された第３の応答メッセージに基づいて、前記送信スロット割り当てビットマップを更新するようにさらに構成されている
ことを特徴とする請求項７に記載の装置。
【請求項１３】
前記装置は、無線送信／受信ユニット（ＷＴＲＵ）であることを特徴とする請求項７に記載の装置。
【請求項１４】
前記装置は、ミリメートル波基地局（ｍＢ）であることを特徴とする請求項７に記載の装置。
【請求項１５】
無線メッシュネットワークにおけるリソースをスケジューリングする方法において、
指向性アンテナを経由して、複数の隣接ノードの隣接ノードから、送信要求メッセージを受信するステップであって、前記送信要求メッセージは、送信スロット割り当てビットマップを含む、ステップと、
前記指向性アンテナを経由して、前記複数の隣接ノードの前記隣接ノードに、応答メッセージを、送信するステップであって、前記応答メッセージは、受信スロット割り当てビットマップおよびリソース割り当て決定を含む、ステップと、
前記受信された送信要求メッセージに基づいて、前記受信スロット割り当てビットマップを更新するステップと、
前記指向性アンテナを経由して、特定の方向でデータパケットを受信するステップであって、前記指向性アンテナに関連付けられた受信ビームは、前記リソース割り当て決定に基づいて配列されている、ステップと
を備えることを特徴とする方法。